(57)【要約】 【課題】  縮小化した第１ＩＣカード１を、縮小前の外形の第２ＩＣカード１１０として、障害なく用いることができるカードアダプタ構造とＩＣカードの形成方法を提供する。【解決手段】  第１ＩＣカード１を、平面に露出する電極群３、３と内蔵モジュールを有するＩＣカード本体２と、ＩＣカード本体２の背面に剥離自在に積層されるスペーサシート５で構成し、第２ＩＣカード１１０として用いる場合には、第２ＩＣカード１１０の厚さと平面の輪郭に等しいカードホルダー７の取付凹部９にＩＣカード本体２を取り付ける。【選択図】  図３
2006139417.tif 000002
【特許請求の範囲】
【請求項１】
カードの厚さが等しく、それぞれ内蔵するモジュールに接続する複数の電極群が同一パターンでカードの平面に露出する第１ＩＣカードと第２ＩＣカードとの間で、第１ＩＣカードを、第１ＩＣカードが包含される平面の輪郭の第２ＩＣカードとして用いるカードアダプタ構造であって、
カードアダプタ構造は、
平面に露出する電極群と内蔵モジュールを有するＩＣカード本体と、ＩＣカード本体の背面に剥離自在に積層されるスペーサシートとからなり、ＩＣカード本体にスペーサシートが積層した平面の輪郭が第２ＩＣカードの平面の輪郭に包含され、厚さが第２ＩＣカードの厚さに等しい第１ＩＣカードと、
第２ＩＣカードの厚さと平面の輪郭に等しく、第２ＩＣカードの電極群が露出する部位にＩＣカード本体の電極群が同一パターンで露出するように、ＩＣカード本体の厚みに等しい深さで、ＩＣカード本体と嵌合する取付凹部が平面に凹設されたカードホルダーとを備え、
第１ＩＣカードからスペーサシートを剥離したＩＣカード本体を、カードホルダーの取付凹部に取り付け、第２ＩＣカードとして用いることを特徴とするカードアダプタ構造。
【請求項２】
ＩＣカード本体の背面に粘着層が形成され、スペーサシートは、粘着層に粘着される剥離シートであることを特徴とする請求項１に記載のカードアダプタ構造。
【請求項３】
第１ＩＣカードと第２ＩＣカードに共通する厚さに形成された台板に、第１ＩＣカードの平面の輪郭に沿って形成された第１切り取り部を介してその内側にＩＣカード本体とスペーサシートを積層させた第１ＩＣカードが形成されるとともに、第１切り取り部を含むその周囲に、第２ＩＣカードの平面の輪郭に沿って第２切り取り部が形成され、
第２切り取り部と干渉しない台板の他の部位に、カードホルダーの平面の輪郭に沿って形成された第３切り取り部を介してその内側にカードホルダーが一体に形成され、
第１切り取り部と第２切り取り部と第３切り取り部のいずれかで台板から切断することにより、第１ＩＣカード若しくは第２ＩＣカード若しくはカードホルダーを形成することを特徴とする請求項１又は請求項２のいずれか１項に記載のカードアダプタ構造。
【請求項４】
カードの厚さが等しく、それぞれ内蔵するモジュールに接続する複数の電極群が同一パターンでカードの平面に露出する第１ＩＣカードと第２ＩＣカードとの間で、第１ＩＣカードを用いて、第１ＩＣカードが包含される平面の輪郭の第２ＩＣカードとするＩＣカードの形成方法であって、
ＩＣカードの形成方法は、
平面に露出する電極群と内蔵モジュールを有するＩＣカード本体と、ＩＣカード本体の背面に剥離自在に積層されるスペーサシートとからなり、ＩＣカード本体にスペーサシートが積層した平面の輪郭が第２ＩＣカードの平面の輪郭に包含され、厚さが第２ＩＣカードの厚さに等しい第１ＩＣカードから、スペーサシートを剥離し、
第２ＩＣカードの厚さと平面の輪郭に等しいカードホルダーの平面に、第２ＩＣカードの電極群が露出する部位にＩＣカード本体の電極群が同一パターンで露出するように、ＩＣカード本体の厚みに等しい深さで、ＩＣカード本体と嵌合する形状の取付凹部を凹設し、
カードホルダーの取付凹部にＩＣカード本体を取り付け、
ＩＣカード本体を取り付けたカードホルダーを、第２ＩＣカードとして用いることを特徴とするＩＣカードの形成方法。
【請求項５】
ＩＣカード本体の背面に粘着層が形成され、スペーサシートは、粘着層に粘着される剥離シートであることを特徴とする請求項４に記載のＩＣカードの形成方法。
【発明の詳細な説明】
【技術分野】
【０００１】
本発明は、携帯電話機等の携帯機器に取り付けて使用するＩＣカードのカードアダプタ構造とＩＣカードの形成方法に関し、特に、縮小化したＩＣカードを縮小前の外形のＩＣカードとして用いるカードアダプタ構造とＩＣカードの形成方法に関する。
【背景技術】
【０００２】
従来より、携帯電話機に携帯電話機の通話利用サービスの契約利用者であることを識別する電話番号等の使用者情報や電話帳などのユーザー登録情報をＳＩＭカードやＵＩＭ（Ｕｓ Ｕｓｅｒ Ｉｄｅｎｔｉｔｙ Ｍｏｄｕｌｅ）カードと呼ばれるＩＣカードに書き込み、そのＩＣカードを携帯電話機に装着することで、携帯電話ネットワークとの接続を可能とする方式が採られている。
【０００３】
このＩＣカードとして、例えば従来のＳＩＭカードは、長方形板状のカード本体内に加入者認識用モジュールが内蔵され、携帯電話機に装着した際に、カード本体の表面に露出する複数の電極群を携帯電話機側の対応するコンタクトへ接触させることにより、加入者認識用モジュールを携帯電話機に接続している（特許文献１参照）。
【０００４】
【特許文献１】特開２００１−２４４００４号公報（第２頁乃至第４頁、図２）
【０００５】
図６と図７は、この従来のＳＩＭカード１１０とＳＩＭカード１１０を装着する携帯電話機１００の装着構造を示すもので、図６は、携帯電話機１００のバッテリーケース１０１で覆われるケース本体１０２裏面側にＳＩＭカード１１０を装着する状態を示す平面図、図７は、ケース本体１０２に、ＳＩＭカード１１０を装着した状態を示す一部省略縦断面図である。
【０００６】
また、図８（ａ）、（ｂ）は、図６、図７に示す装着構造に装着される従来のＳＩＭカード１１０（以下、旧ＳＩＭカードという）の平面図と側面図で、旧ＳＩＭカード１１０は、長方形板状の絶縁基板１１１内に図示しない加入者認識用モジュールを内蔵し、その平面に加入者認識用モジュールに接続する複数の電極１１２、１１２・・が互いに絶縁した状態で露出している。複数の電極群１１２からなる電極部１１２Ａは、絶縁基板１１１の前方（図８の左方）に偏った平面上で露出し、後方の角部の一方は、傾斜辺１１３ａで切り欠かれた切り欠き部１１３となっている。
【０００７】
図６と図７に示すように、携帯電話機１００のケース本体１０２の裏面には、上述の旧ＳＩＭカード１１０を収容するカード収容凹部１０３が凹設され、このカード収容凹部１０３の底面を貫通し、カード接続用コネクタ１０４が取り付けられている。カード収容凹部１０３の底面と同一面上のカード接続用コネクタ１０４の表面には、旧ＳＩＭカード１１０の複数の電極群１１２，１１２・・と対応する部位に、複数のコンタクト１０５、１０５・・が突出し、これにより旧ＳＩＭカード１１０をカード収容凹部１０３に収容した際に、対向するコンタクト１０５と旧ＳＩＭカード１１０の電極１１２間がそれぞれ接触するようになっている。
【０００８】
カード収容凹部１０３の輪郭は、旧ＳＩＭカード１１０の平面の外形に合わせた長方形状で、その短手方向の幅は、旧ＳＩＭカード１１０の短手方向の幅よりやや幅広となっている。また、長手方向の幅は、旧ＳＩＭカード１１０を後方（図６、図７において右方）からカード収容凹部１０３内に収容可能なように、旧ＳＩＭカード１１０の長手方向の幅より充分に長く、その後方内には、収容した旧ＳＩＭカード１１０が長手方向でがたつき移動しないように、ケース本体１０２からストッパー片１０６が突出している。
【０００９】
更に、カード収容凹部１０３の前方両側には、カード接続用コネクタ１０４の表面との間で、旧ＳＩＭカード１１０を保持する一対の保持枠１０８が設けられ、この保持枠１０８によって、バッテリーケース１０１で覆う前の状態で、旧ＳＩＭカード１１０のカード収容凹部１０３からの脱落が防止される。
【００１０】
バッテリーケース１０１は、ケース本体１０２の裏面側に係合し、ケース本体１０２の裏面を覆うもので、ケース本体１０２の裏面側に係合させた際に、カード収容凹部１０３に収容された旧ＳＩＭカード１１０の背面に当接し、旧ＳＩＭカード１１０の電極１１２と対向するコンタクト１０５間が所定の接触圧で接触する。
【００１１】
バッテリーケース１０１のケース本体１０２と対向する面には、図７に示すように、逆挿入防止突起１０７が垂設されている。この逆挿入防止突起１０７は、旧ＳＩＭカード１１０がカード収容凹部１０３に完全に収容された際に、切り欠き部１１３により旧ＳＩＭカード１１０と干渉しない部位に突出する。従って、仮に旧ＳＩＭカード１１０の表裏を誤ってカード収容凹部１０３へ収容した場合には、逆挿入防止突起１０７が旧ＳＩＭカード１１０に当接し、バッテリーケース１０１をケース本体１０２の裏面側へ覆うことができず、これにより旧ＳＩＭカード１１０の誤収容を防止できる。
【発明の開示】
【発明が解決しようとする課題】
【００１２】
一方、内蔵の加入者認識用モジュールは、携帯電話機１００と接続する電極部１１２Ａの平面領域内に形成することが可能なことから、図８（ａ）（ｂ）に示す旧ＳＩＭカード１１０は、同一のＩＣカードとしての機能を保ちながら、図９（ａ）（ｂ）に示すより外形を小型化したＳＩＭカード１２０（以下、新ＳＩＭカードという）とすることが可能となった。
【００１３】
この新ＳＩＭカード１２０は、旧ＳＩＭカード１１０と同様に長方形板状の絶縁基板１２１内に加入者認識用モジュールを内蔵し、その平面に加入者認識用モジュールに接続する複数の電極１２２、１２２・・からなる電極部１２２Ａを露出させている。絶縁基板１２１の厚みと絶縁基板１２１の平面に露出する電極１２２、１２２・・からなる電極部１２２Ａの露出パターンは、旧ＳＩＭカード１１０とそれぞれ同一であり、絶縁基板の１２１の外形のみが電極部１２２Ａの周囲を囲う輪郭で、旧ＳＩＭカード１１０の絶縁基板１１１の外形に対して縮小されている。また、絶縁基板の１２１の外形の右方の一方の角部には、絶縁基板１１１と同様傾斜辺１２３ａで切り欠かれた切り欠き部１２３が形成されている。
【００１４】
つまり、図８と図９を比較して明らかなように、新ＳＩＭカード１２０と旧ＳＩＭカード１１０は、カードの厚さが等しく、内蔵するモジュールに接続する複数の電極群１１２、１１２・・と電極群１２２、１２２・・が同一パターンでカードの平面に露出し、新ＳＩＭカード１２０の外形が旧ＳＩＭカード１１０の外形にそっくり包含される関係となっている。
【００１５】
従って、携帯電話機１００側のカード接続用コネクタ１０４のコンタクト１０５、１０５・・の配列を変更することなく、新ＳＩＭカード１２０と旧ＳＩＭカード１１０のいずれも接続できるが、旧ＳＩＭカード１１０をがたつきなく収容するように設計されたカード収容凹部１０３に新ＳＩＭカード１２０を収容すると、ストッパー片１０６やカード収容凹部内側面との間に隙間が生じて位置ずれし、コンタクト１０５が対応する電極１２２に正確に接触しないという問題があった。
【００１６】
また、新ＳＩＭカード１２０を表裏逆に収容しても、逆挿入防止突起１０７と干渉しないので、逆挿入防止突起１０７が機能せず、表裏逆挿入を検知できないという問題があった。
【００１７】
そこで新ＳＩＭカード１２０を旧ＳＩＭカード１１０の外形と厚さが同一のカードホルダーへ収容し、新ＳＩＭカード１２０を旧ＳＩＭカード１１０と接続する携帯電話機１００へも接続可能とすることが検討されたが、旧ＳＩＭカード１１０の厚さに等しいカードホルダーへ新ＳＩＭカード１２０を収容する全体の厚さは、少なくとも旧ＳＩＭカード１１０の厚さより厚くなる。
【００１８】
例えば、ここで使用されている新ＳＩＭカード１２０と旧ＳＩＭカード１１０に共通するカードの厚さは、０．７６ｍｍであり、この厚さよりわずかに長いカード接続用コネクタ１０４表面と保持枠１０８との隙間に、新ＳＩＭカード１２０を収容したカードホルダーは挿入できず、実質的に旧ＳＩＭカード１１０と接続する携帯電話機１００に新ＳＩＭカード１２０を接続することはできなかった。
【００１９】
本発明は、このような従来の問題点を考慮してなされたものであり、縮小化したＩＣカードを、縮小前の外形のＩＣカードとして、障害なく用いることができるカードアダプタ構造とＩＣカードの形成方法を提供することを目的とする。
【００２０】
また、縮小化したＩＣカードを、縮小化したＩＣカードに接続する携帯電話機と、縮小前の外形のＩＣカードに接続する携帯電話機のいずれとも接続可能としたカードアダプタ構造とＩＣカードの形成方法を提供することを目的とする。
【課題を解決するための手段】
【００２１】
上述の目的を達成するため、請求項１のカードアダプタ構造は、カードの厚さが等しく、それぞれ内蔵するモジュールに接続する複数の電極群が同一パターンでカードの平面に露出する第１ＩＣカードと第２ＩＣカードとの間で、第１ＩＣカードを、第１ＩＣカードが包含される平面の輪郭の第２ＩＣカードとして用いるカードアダプタ構造であって、カードアダプタ構造は、平面に露出する電極群と内蔵モジュールを有するＩＣカード本体と、ＩＣカード本体の背面に剥離自在に積層されるスペーサシートとからなり、ＩＣカード本体にスペーサシートが積層した平面の輪郭が第２ＩＣカードの平面の輪郭に包含され、厚さが第２ＩＣカードの厚さに等しい第１ＩＣカードと、第２ＩＣカードの厚さと平面の輪郭に等しく、第２ＩＣカードの電極群が露出する部位にＩＣカード本体の電極群が同一パターンで露出するように、ＩＣカード本体の厚みに等しい深さで、ＩＣカード本体と嵌合する取付凹部が平面に凹設されたカードホルダーとを備え、第１ＩＣカードからスペーサシートを剥離したＩＣカード本体を、カードホルダーの取付凹部に取り付け、第２ＩＣカードとして用いることを特徴とする。
【００２２】
また、請求項４のＩＣカードの形成方法は、カードの厚さが等しく、それぞれ内蔵するモジュールに接続する複数の電極群が同一パターンでカードの平面に露出する第１ＩＣカードと第２ＩＣカードとの間で、第１ＩＣカードを用いて、第１ＩＣカードが包含される平面の輪郭の第２ＩＣカードとするＩＣカードの形成方法であって、ＩＣカードの形成方法は、平面に露出する電極群と内蔵モジュールを有するＩＣカード本体と、ＩＣカード本体の背面に剥離自在に積層されるスペーサシートとからなり、ＩＣカード本体にスペーサシートが積層した平面の輪郭が第２ＩＣカードの平面の輪郭に包含され、厚さが第２ＩＣカードの厚さに等しい第１ＩＣカードから、スペーサシートを剥離し、第２ＩＣカードの厚さと平面の輪郭に等しいカードホルダーの平面に、第２ＩＣカードの電極群が露出する部位にＩＣカード本体の電極群が同一パターンで露出するように、ＩＣカード本体の厚みに等しい深さで、ＩＣカード本体と嵌合する形状の取付凹部を凹設し、カードホルダーの取付凹部にＩＣカード本体を取り付け、ＩＣカード本体を取り付けたカードホルダーを、第２ＩＣカードとして用いることを特徴とする。
【００２３】
請求項１のカードアダプタ構造若しくは請求項４のＩＣカードの形成方法では、ＩＣカード本体とスペーサシートを積層させた第１ＩＣカードは、第１ＩＣカードとの接続構造を備えた機器へ接続できる。
【００２４】
第１ＩＣカードからスペーサシートを剥離したＩＣカード本体の厚みは、カードホルダーの取付凹部の深さに等しいので、取付凹部に取り付けられたＩＣカード本体の電極群はカードホルダーと同一平面上に露出し、また、第２ＩＣカードの厚さに等しいカードホルダーに、その厚みを増加させることなくＩＣカード本体を取り付けることができる。
【００２５】
カードホルダーの厚さと平面の輪郭は第２ＩＣカードに等しく、第２ＩＣカードの電極群が露出する部位にＩＣカード本体の電極群が同一パターンで露出するように取付凹部が凹設されるので、ＩＣカード本体を取り付けたカードホルダーは、第２ＩＣカードに相当するカードとなり、第２ＩＣカードとの接続構造を備えた機器へも接続できる。
【００２６】
請求項２のカードアダプタ構造と請求項５のＩＣカードの形成方法は、ＩＣカード本体の背面に粘着層が形成され、スペーサシートは、粘着層に粘着される剥離シートであることを特徴とする。
【００２７】
請求項２のカードアダプタ構造若しくは請求項５のＩＣカードの形成方法では、スペーサシートが剥離シートであるので、ＩＣカード本体から簡単に剥離することができ、粘着層はＩＣカード本体の背面に残されるので、ＩＣカード本体を取付凹部に取り付けた際に、粘着層が取付凹部の内底面に粘着し、ＩＣカード本体が取付凹部から抜け出ない。
【００２８】
請求項３のカードアダプタ構造は、第１ＩＣカードと第２ＩＣカードに共通する厚さに形成された台板に、第１ＩＣカードの平面の輪郭に沿って形成された第１切り取り部を介してその内側にＩＣカード本体とスペーサシートを積層させた第１ＩＣカードが形成されるとともに、第１切り取り部を含むその周囲に、第２ＩＣカードの平面の輪郭に沿って第２切り取り部が形成され、第２切り取り部と干渉しない台板の他の部位に、カードホルダーの平面の輪郭に沿って形成された第３切り取り部を介してその内側にカードホルダーが一体に形成され、第１切り取り部と第２切り取り部と第３切り取り部のいずれかで台板から切断することにより、第１ＩＣカード若しくは第２ＩＣカード若しくはカードホルダーを形成することを特徴とする。
【００２９】
第１ＩＣカードと第２ＩＣカードは、カードの厚さが等しく、それぞれ内蔵するモジュールに接続する複数の電極群が同一パターンでカードの平面に露出し、第１ＩＣカードの平面の輪郭は第２ＩＣカードの平面の輪郭に包含される関係にあるので、第１ＩＣカードの平面の輪郭に沿って形成された第１切り取り部を含むその周囲に、第２ＩＣカードの平面の輪郭に沿って第２切り取り部を形成し、台板からいずれかの切り取り部で切断することにより、所望の第１ＩＣカード若しくは第２ＩＣカードを得ることができる。
【００３０】
第２ＩＣカードの厚みに等しいカードホルダーは、台板の厚みに等しいので、第１ＩＣカード若しくは第２ＩＣカードを形成する同一の台板から、第３切り取り部を切断して形成することができる。
【発明の効果】
【００３１】
請求項１と請求項４の発明によれば、第１ＩＣカードとして用いるカードを、スペーサシートを剥離しカードホルダーに取り付けるだけで、第２ＩＣカードとして支障なく用いることができる。
【００３２】
また、縮小化した第１ＩＣカードに接続する携帯電話機へ接続する縮小化した第１ＩＣカードを、縮小前の外形の第２ＩＣカードに接続する携帯電話機へも接続させることができる。
【００３３】
請求項２と請求項５の発明によれば、スペーサシートをＩＣカード本体から容易に剥離でき、また、カードホルダーに取り付けられたＩＣカード本体は、カードホルダーと同一平面内に保持され、取付凹部から浮き上がるＩＣカード本体が、第２ＩＣカードに接続する携帯電話機との接続の障害となることがない。
【００３４】
請求項３の発明によれば、１枚の台板に単一のモジュールと複数の電極群を形成するだけで、第１ＩＣカード、第２ＩＣカード及びカードホルダーを任意に得ることができる。従って、カードを接続する携帯電話機の接続構造に応じて、１枚の台板から適合する第１ＩＣカード若しくは第２ＩＣカードを選択して得ることができる。
【００３５】
また、台板の第１切り取り部を切断して得た第１ＩＣカードは、同じ台板の第３切り取り部を切断して得たカードホルダーを用いて第２ＩＣカードとすることができるので、誤って第１切り取り部を切断した場合や、第１ＩＣカードに接続する携帯電話機から第２ＩＣカードに接続する携帯電話機へ切り換える場合に、簡単に第２ＩＣカードへ切り換えることができる。
【発明を実施するための最良の形態】
【００３６】
以下、本発明の第１実施の形態に係るカードアダプタ構造とＩＣカードの形成方法を、図１乃至図３で説明する。本実施の形態では、ＩＣカードとして、ユーザー登録情報を記憶する加入者認識用モジュール（Ｓｕｂｓｃｒｉｂｅｒ Ｉｄｅｎｔｉｔｙ Ｍｏｄｕｌｅ）を内蔵し、図６に示すような携帯電話機１００に接続して、通話サービスの契約利用者であることを識別するＳＩＭカードで説明する。
【００３７】
図１は、本実施の形態に係る新ＳＩＭカード１の斜視図であり、新ＳＩＭカード１は、加入者認識用モジュール（図示せず）を内蔵し、平面２ａに加入者認識用モジュールに接続する複数の電極３、３・・を互いに絶縁して露出させたＩＣカード本体２と、その背面に付着する粘着層４を介してＩＣカード本体２の背面側に積層されたスペーサシート５とからなっている。
【００３８】
新ＳＩＭカード１を構成する各ＩＣカード本体２とスペーサシート５は、粘着層４を挟んで積層した外形と厚さが、旧ＳＩＭカード１１０の外形を縮小化させた図９に示す新ＳＩＭカード１２０の外形及び厚さと一致するように形成される。ここでカードの外形とは、カードの平面に対して直交方向に投影させたときに表れるカードの平面の輪郭をいい、カードの厚さとは、カードの平面に対して直交する方向の長さをいう。
【００３９】
すなわち、絶縁樹脂で形成されるＩＣカード本体２の外形は、複数の電極３、３・・が露出する電極部３Ａの周囲を囲う長方形状の輪郭で、後方（図１において右斜め上方）の角部の一方には、傾斜辺６ａで切り欠かれた切り欠き部６が形成され、またその厚さは、旧ＳＩＭカード１１０と新ＳＩＭカード１２０に共通する厚さ０．７６ｍｍより薄く、加入者認識用モジュールを内蔵するのに充分な厚さで、粘着層４を加えた厚さが例えば０．５ｍｍとなっている。また、スペーサシート５の外形は、ＩＣカード本体２の外形に等しく、シートの厚さは、例えば０．２６ｍｍで、ＩＣカード本体２と粘着層４を加えた厚さが０．７６ｍｍになるように形成される。
【００４０】
ＩＣカード本体２の平面２ａに露出する複数の電極３、３・・の露出パターンは、新ＳＩＭカード１２０の電極１２２の露出パターンと同一となっている。従って、このように構成された新ＳＩＭカード１は、外形を縮小させる目的で新たに開発された図９に示す新ＳＩＭカード１２０として用いることができ、新ＳＩＭカード１２０に適合したカード装着凹部を備えた携帯電話機に接続することが可能となる。
【００４１】
スペーサシート５は、ここではＩＣカード本体２の背面に付着させた粘着層４に対して剥離可能な剥離シートで形成され、図８に示す旧ＳＩＭカード１１０として使用する場合に、図１に示すように、ＩＣカード本体２の背面から容易に剥離できるように構成されている。
【００４２】
図２は、上述の新ＳＩＭカード１を旧ＳＩＭカード１１０として使用する際に用いるカードホルダー７を示し、図８に示す旧ＳＩＭカード１１０の外形及び厚さと一致するように、絶縁樹脂で形成される。すなわち、後方（図２において右斜め上方）の角部の一方に、傾斜辺８ａで切り欠かれた切り欠き部８が形成されたカードホルダー７の外形は、旧ＳＩＭカード１１０の外形と同一で、またその厚さは、旧ＳＩＭカード１１０と新ＳＩＭカード１２０に共通する厚さ０．７６ｍｍとなっている。
【００４３】
カードホルダー７の前方寄りの平面７ａには、ＩＣカード本体２と粘着層４を加えた厚さの例えば０．５ｍｍの深さで、ＩＣカード本体２の外形よりわずかに大きい輪郭の取付凹部９が凹設されている。従って、スペーサシート５を剥離したＩＣカード本体２は、この取付凹部９内に嵌合し、複数の電極３、３・・からなる電極部３Ａは、カードホルダー７の平面７ａと同一平面上に露出する。また、この取付凹部９の凹設部位は、ＩＣカード本体２を取り付けた際に、旧ＳＩＭカード１１０の絶縁基板１１１に対して電極部１１２Ａが露出する露出パターンと同一のパターンと位置で、電極部３Ａがカードホルダー７に対して露出するように、設定される。
【００４４】
この取付凹部９へＩＣカード本体２を取り付けたカードホルダー７は、図３に示すように、旧ＳＩＭカード１１０の外形と厚さが同一で、ＩＣカード本体２の電極部３Ａは、旧ＳＩＭカード１１０の電極部１１２Ａと同一の露出パターンで平面７ａ上に露出する。従って、ＩＣカード本体２を取り付けたカードホルダー７は、外形を縮小化させる以前の図８に示す旧ＳＩＭカード１１０として再び用いることが可能となる。これにより、ＩＣカード本体２を取り付けたカードホルダー７を旧ＳＩＭカード１１０に適合する図６、図７に示す携帯電話機１００のカード装着凹部１０３にがたつきなく収容することができ、コンタクト１０５を対応する電極３へ正確に接触させることができ、また不適正な姿勢でカードホルダー７を挿入しても、誤挿入防止突起１０７が当接し、誤挿入を防止できる。
【００４５】
また、本実施の形態では、ＩＣカード本体２の背面に粘着層４が付着するので、カードホルダー７へＩＣカード本体２を取り付けた際に、取付凹部９の内底面に粘着層４が粘着し、ＩＣカード本体２が取付凹部９から抜け出たり、浮き出ることがなく、携帯電話機１００のカード装着凹部１０３への装着が容易となる。特に、カードホルダー７の平面７ａ側を下向きとしてカード装着凹部１０３へ装着する場合であっても、粘着層４によりＩＣカード本体２が取付凹部９内に仮保持されるので、ＩＣカード本体２が脱落することがない。
【００４６】
上述の実施の形態に係る新ＳＩＭカード１とカードホルダー７の他に、旧ＳＩＭカード１１０に相当する旧ＳＩＭカード１０は、加入者認識用モジュールと電極を共用する１枚の台板２０から形成することができる。以下、この本発明の他の実施の形態を、図４と図５を用いて説明する。図４は、絶縁樹脂で、新ＳＩＭカード１、旧ＳＩＭカード１０及びカードホルダー７に共通する例えば０．７６ｍｍの厚さで長方形の外形に形成された台板２０の平面図で、図５は、加入者認識用モジュールを省略した台板２０の中央縦断面図である。
【００４７】
台板２０の図中左方には、新ＳＩＭカード１の外形に沿って形成された第１切り取り部２１が形成され、その内側に、ＩＣカード本体２とその背面の粘着層４を介して積層されるスペーサシート５からなる新ＳＩＭカード１が形成されている。すなわち、図５に示すように、第１切り取り部２１で区切られる台板２０の背面には、スペーサシート５の厚さに相当する凹部が形成され、この凹部に粘着層４を介してスペーサシート５が貼り付けられている。スペーサシート５が貼り付けられた台板２０の平面側は、台板２０と一体に成形されるＩＣカード本体２となり、このＩＣカード本体２内に加入者認識用モジュールが内蔵され、表面２ａに複数の電極３、３・・からなる電極３Ａが新ＳＩＭカード１２０と同一パターンと対応部位に露出している。
【００４８】
また、この電極３、３・・からなる電極３Ａが、旧ＳＩＭカード１１０の電極１１２、１１２・・からなる電極１１２Ａとなるように旧ＳＩＭカード１１０を配置したものとして、その配置した旧ＳＩＭカード１１０の外形に沿って第２切り取り部２２が形成される。新ＳＩＭカード１２０の外形は、旧ＳＩＭカード１１０の外形に包含される関係にあるので、図４に示ように、この第２切り取り部２２は、第１切り取り部２１の周囲を囲うように台板２０に形成される。
【００４９】
台板２０の第２切り取り部２２と重ならない部位、ここでは図中右方に、カードホルダー７の外形に沿った第３切り取り部２３が形成される。第３切り取り部２３で区切られる内側はカードホルダー７となるもので、カードホルダー７の上述した部位に、上述した輪郭と深さで取付凹部９が凹設されている。
【００５０】
このように構成した台板２０を第１切り取り部２１に沿って切断すれば、第１切り取り部２１に沿った外形の新ＳＩＭカード１が得られる。この新ＳＩＭカード１は、上述の通り、新ＳＩＭカード１２０に相当し、新ＳＩＭカード１２０に対応する携帯電話機へ接続することができる。
【００５１】
また、一度台板２０から切り出したこの新ＳＩＭカード１を、従来の旧ＳＩＭカード１１０に対応する携帯電話機１００へ接続する場合には、第３切り取り部２３に沿って切断し、その内側からカードホルダー７を抜き出す。続いて、新ＳＩＭカード１の背面側に貼り付けられているスペーサシート５を剥離し、スペーサシート５を剥離したＩＣカード本体２をカードホルダー７の取付凹部９へ取り付け、旧ＳＩＭカード１１０に相当するカードとする。
【００５２】
一方、当初から旧ＳＩＭカード１１０に対応の携帯電話機１００へ接続するＳＩＭカードを得ようとする場合には、第２切り取り部２２に沿って台板２０を切断することにより、旧ＳＩＭカード１１０に相当する旧ＳＩＭカード１０が得られる。更に、その後、旧ＳＩＭカード１０内に残された第１切り取り部２１に沿って切断しその周囲を切り落とせば、新ＳＩＭカード１となり、この新ＳＩＭカード１は、再び第３切り取り部２３に沿って切り出したカードホルダー７を用いて、旧ＳＩＭカード１１０に相当するカードとすることができる。
【００５３】
つまり、台板２０から、第１切り取り部２１と第２切り取り部２２のいずれかを誤って切断し、意図しない新ＳＩＭカード１若しくは旧ＳＩＭカード１０としても、第３切り取り部２３に沿って切り出したカードホルダー７を用いるか、第１切り取り部２１に沿って切断することにより、所望の旧ＳＩＭカード１０若しくは新ＳＩＭカード１が得られる。
【００５４】
尚、上述の第１切り取り部２１、第２切り取り部２２及び第３切り取り部２３は、切り取り部に沿って、手でその内側を台板２０から切断可能とするように、台板２０を貫通するスリットで形成されている。この切り取り部２１、２２、２３は、スリットの他、例えば、ミシン目、表裏いずれか若しくは双方の面から形成するハーフカット（凹溝）であってもよい。
【００５５】
また、第１切り取り部２１で区切られる内側の台板２０の背面に、スペーサシート５の厚さに相当する凹部を形成したが、第２切り取り部で区切られる内側の台板２０の背面まで、凹部を形成して、スペーサシート５を貼り付けるものであってもよい。
【００５６】
以上の実施の形態では、ＩＣカード本体２とスペーサシート５の間に粘着層４を介在させたが、粘着層４は必ずしも介在させる必要はなく、例えば取付凹部９の内径とＩＣカード本体２の外径をほぼ同一として、ＩＣカード本体２を取付凹部９内に圧入等の手段で保持してもよい。粘着層４を用いない場合には、その厚さを考慮せず、取付凹部９の深さは、ＩＣカード本体２の厚さに等しくする。
【産業上の利用可能性】
【００５７】
本発明は、２種類の外形が異なるＩＣカードが存在し、それぞれを対応する機器へ接続するＩＣカードに適している。
【図面の簡単な説明】
【００５８】
【図１】本実施の形態に係る新ＳＩＭカード１の斜視図である。
【図２】カードホルダー７の斜視図である。
【図３】取付凹部９へＩＣカード本体２を取り付けたカードホルダー７の斜視図である。
【図４】台板２０の平面図である。
【図５】図４の台板２０のＡ−Ａ線に沿って切断した縦断面図である。
【図６】携帯電話機１００のケース本体１０２裏面側に旧ＳＩＭカード１１０を装着する状態を示す平面図である。
【図７】ケース本体１０２に、旧ＳＩＭカード１１０を装着した状態を示す一部省略縦断面図である。
【図８】旧ＳＩＭカード１１０の  （ａ）は、平面図、  （ｂ）は、側面図である。
【図９】新ＳＩＭカード１２０の  （ａ）は、平面図、  （ｂ）は、側面図である。
【００５９】
１      新ＳＩＭカード
２      ＩＣカード本体
３      電極
３Ａ    電極部
４      粘着層
５      スペーサシート
７      カードホルダー
９      取付凹部
１０    旧ＳＩＭカード
２０    台板
２１    第１切り取り部
２２    第２切り取り部
２３    第３切り取り部
１１０  旧ＳＩＭカード
１１２  旧ＳＩＭカードの電極
１２０  新ＳＩＭカード
１２２  新ＳＩＭカードの電極
【図１】
2006139417.tif 000003
【図２】
2006139417.tif 000004
【図３】
2006139417.tif 000005
【図４】
2006139417.tif 000006
【図５】
2006139417.tif 000007
【図６】
2006139417.tif 000008
【図７】
2006139417.tif 000009
【図８】
2006139417.tif 000010
【図９】
2006139417.tif 000011